(57)【要約】【課題】  丸太組み構法の建築物の階段下部屋に収納される家具、設備等のセトリングを考慮した納まりが不要となる階段構造を提供する。【解決手段】  上階と下階を有する丸太組み構法の建築物に設置され、上部が上階に固定された側桁階段若しくはささら桁階段と、側桁階段若しくはささら桁階段の桁下方で、下階に設置され、天井部を有する階段下部屋と、を有し、側桁階段若しくはささら桁階段の桁下面と階段下部屋の天井との垂直方向の間隔は、丸太組み構法の建築物のセトリング量と略同一である。【選択図】  図１
2020133224.tif 000002
【特許請求の範囲】
【請求項１】
上階と下階を有する丸太組み構法の建築物に設置され、上部が前記上階に固着された桁階段と、
前記桁階段の桁下方で、前記下階に設置され、天井部を有する階段下部屋と、を有し、
前記桁階段の桁下面と前記階段下部屋の天井との垂直方向の間隔は、前記丸太組み構法の建築物のセトリング量と略同一である、階段構造。
【請求項２】
前記階段下部屋は、上部が前記天井部と接続した少なくとも１つの側面パネルを有し、当該側面パネルは、前記桁階段の側桁の直下に配置された、請求項１に記載の階段構造。
【請求項３】
前記階段下部屋は、上部が前記天井部と接続した前面パネルを有する、請求項１または２に記載の階段構造。
【請求項４】
前記桁階段下に階高調整用のスペーサーを有し、前記桁階段の桁下面と階段下部屋の天井との垂直方向の間隔は、前記スペーサーの厚さと略同一である、請求項１から３のいずれかに記載の階段構造。
【請求項５】
前記桁階段は、回り階段、直階段、折返し階段、又は、かね折れ階段である、請求項１から４のいずれかに記載の階段構造。
【請求項６】
前記桁階段の桁下の傾斜と前記階段下部屋の天井の斜面とは平行である、請求項１から５のいずれかに記載の階段構造。
【発明の詳細な説明】
【技術分野】
【０００１】
本発明は、階段構造に関する。
【背景技術】
【０００２】
住宅の階段下部の空間を活用するために、収納、及び、トイレ等の様々な用途の階段下部屋が設けられることがある（例えば、特許文献１参照）。階段下に階段下部屋を設ける場合には、階段下部屋の天井は階段下面となる。
【０００３】
丸太組構法で構築されるログハウス（ログ(log)で構成された住宅のこと）にも同様に、階段下部屋が設けられることがある。ここで、ログハウスではセトリングという現象が生じる。セトリングとは、ログ壁を構築するログ材の乾燥収縮と、ログ材そのものの自重とにより、ログ壁全体の高さが低下する現象である。一般的に、セトリング量（セトリングによりログ壁の高さが低下する量のことをいう。以下同じ。）はログ壁の壁体の高さの3％とされている。このセトリングは、一般的には最初の2〜3年で70〜80％が終了し、以後、ゆっくりと時間をかけて収束に至る。
【０００４】
セトリングが進行することで、ログ壁の壁高は下がるが、柱や建具、間仕切り壁（ログ壁以外）、階段等のそれぞれの高さには、変化が生じない。そのため、ログハウスには、セトリングにより生じるログ壁とそれ以外の部分との高低差を吸収するための構造が設けられる。
【０００５】
図６は、従来の階段構造の断面図である。図７は、従来の階段構造の手摺詳細図である。一般に、ログハウスの階段は、桁Ｃ（側桁の場合とささら桁の場合とを含む。）の上端を上階の床梁等に固定して設置する。セトリングによる２階の床の高さの変化に階段全体の高さを対応させるため、下階の構造物（下階の床または階段踊り場等）上の桁の下端の設置位置には、桁の下端と下階の構造物との間に、セトリング量に応じた所定の高さのスペーサーＧを設置する。このスペーサーＧは、セトリングが相当程度進行した時点で撤去される。
【０００６】
ログハウスの階段下に階段下部屋Ａを設ける場合には、セトリングの進行により、桁の吊元に位置する上階の床梁等の位置が低下するために、階段下部屋の正面視上部（階段下部屋の外周の桁吊元側の面を階段下部屋の正面とする。）にセトリングによる上階の床梁等の低下に対応するための遊びの隙間（セトリングスペース）Ｂを設ける。また、桁Ｃの形状は、ささら桁とする。これは、ささら桁にした場合、踏み板Ｄを下から支持する形になるので、踏み板を横方向から挟み込む形で支持する側桁よりも、踏み板Ｄの幅を広く取ることができるためである。
【０００７】
ログハウスの階段下に階段下部屋Ａを設ける場合の階段室部屋Ａの側面の間仕切り壁Ｅ1は、ささら桁の踏み板Ｄ側から見て外側の面に接する形で（ささら桁Ｃを間仕切り壁Ｅ1に固定させない形で）設けることになる。このようにすることにより、ささら桁Ｃはセトリングの進行に伴って側面を間仕切り壁Ｅ1の仕上げ面を摺動する形で沈下するので、構造的にセトリングの影響を受けることがない。さらに、ログハウスの階段下に階段下部屋Ａを設ける場合の階段室部屋Ａの反対側の側面にも同様に、間仕切り壁Ｅ2をささら桁の踏み板Ｄ側から見て外側の面に接する形で設けることになる。この場合、間仕切り壁Ｅ2に換えてログ壁に接する形で設けられることがある。
【先行技術文献】
【特許文献】
【０００８】
【特許文献１】特開2013-174058号公報
【発明の概要】
【発明が解決しようとする課題】
【０００９】
従来の階段下部屋では、階段下部屋の天井Ｆがささら桁階段の桁Ｃの下に取り付けられているため、セトリングの進行により階段の吊元が下がると、それに伴って階段下部屋の天井Ｆも同様に下がる。また、セトリング収束時期に行うスペーサーＧの撤去に伴って、階段下部屋の天井Ｆも再び同様に下がる。これにより、階段下部屋に収納される家具に天井が干渉する等の不具合が生じる場合がある。このため、階段下部屋に収納される家具、設備等はセトリングの進行を予め考慮した納まりが必要となるという課題がある。
【００１０】
また、従来の階段下部屋では、並行する２つの間仕切り壁Ｅ1及びＥ2、若しくは、並行する間仕切り壁Ｅ1とログ壁の、双方の仕上げ面の間に、セトリングの影響を考慮しつつ（即ち双方の壁の仕上げ作業を完了させた後で、）、かつ、両方の間仕切り壁Ｅ1及びＥ2と隙間を空けずに、ささら桁Ｃを設けてささら桁階段を設置しなければならないため、階段の設置作業が容易でないという課題もある。
【００１１】
本発明は、これらのような従来の問題を解決するためになされたもので、丸太組み構法の建築物の階段下部屋に収納される家具、設備等のセトリングの進行を考慮した納まりが不要とし、かつ、階段の設置作業を容易にする階段構造を提供することである。
【課題を解決するための手段】
【００１２】
本発明の階段構造は、上階と下階を有する丸太組み構法の建築物に設置され、上部が上階に固定された桁階段（側桁階段若しくはささら桁階段等の桁構造を有する階段のことをいう。以下同じ。）と、桁階段の桁の下方で、下階に設置され、天井部を有する階段下部屋と、を有し、桁階段の桁下面と階段下部屋の天井との垂直方向の間隔は、丸太組み構法の建築物のセトリング量と略同一である。
【発明の効果】
【００１３】
本発明の階段構造によれば、階段下部屋を有する階段の施工が容易なログハウスが提供でき、同時に、ログハウスの階段下部屋に収納される家具、設備等の、セトリングによる天井高の低下への考慮が不要となる。
【図面の簡単な説明】
【００１４】
【図１】実施形態の階段構造の平面図である。
【図２】図１のＡ-Ａ´線断面図である。
【図３】図１のＢ-Ｂ´線断面図である。
【図４】図１のＣ-Ｃ´線断面図である。
【図５】天井との間隔と天井との垂直方向の間隔との関係を示す図である。
【図６】従来の階段構造の断面図である。
【図７】従来の階段構造の手摺詳細図である。
【発明を実施するための形態】
【００１５】
以下、本発明の実施形態である階段構造について、図を参照して詳細に説明をする。
【００１６】
図１は、本発明の実施形態の階段構造の平面図である。図２は、図１のＡ-Ａ´線断面図である。図３は、図１のＢ-Ｂ´線断面図である。図４は、図１のＣ-Ｃ´線断面図である。
【００１７】
実施形態の階段構造１が設置される丸太組み構法の建築物（ログハウスともいう）は、上階Ｘと下階Ｙからなる。上階Ｘに備わる構造物には、上階床梁Aや上階床Ｃや梁Ｈがある。下階Ｙに備わる構造物には、下階床Ｂや下階天井に達する間仕切り壁１０８がある。上階Ｘの梁Ｈと下階Ｙの下階天井に達する間仕切り壁１０８の境界には、セトリングスペースＥが設けられており、幕板Ｄで覆われている。セトリングにより上階Ｘが下降した場合には、セトリングスペースＥがこの下降量（以下、セトリング量という）を吸収する。
【００１８】
実施形態の階段構造１は、階段部１００と階段下部屋２００とを含む。
【００１９】
実施形態の階段部１００は、回り階段である。階段部１００は回り階段に限られず、他のタイプの階段（例えば、直階段、かね折れ階段、及び、折返し階段等）であってよい。実施形態の階段部１００は、上階Ｘに固定された上部階段部１００Ａと下階Ｙに固定された下部階段部１００Ｂとを含む。上部階段部１００Ａは、側桁階段である。上部階段部１００Ａは側桁階段に限られず、桁階段であれば、ささら桁階段等であってよい。
【００２０】
上部階段部１００Ａは、側桁１０３ａ、１０３ｂと、側桁間に上下方向に所定の間隔で配置される踏板１０１i〜１０１ｍと、側桁１０３ａに取り付けられた手すり１０５等を含む。なお、図の踏板の段数はあくまでも一例であり、階段が設置される建物の上階までの高さ等により適宜変更される。
【００２１】
側桁１０３ａ、１０３ｂは、踏板１０１ｈから斜め上方向に伸長し、踏板１０１の幅に対応した横方向間隔で平行に配置される。側桁１０３ａ、１０３ｂの上端部は、上階床梁Aに固着される。側桁１０３ａ、１０３ｂの下端部は、階高調整用のスペーサー１０２を介して、踏板１０１ｈに載置される。側桁１０３ａ、１０３ｂの桁下面は、踏板１０１ｈから上階床梁Aへ向かう斜め上方向の傾斜面となる。スペーサー１０２の厚さは、セトリング量と略同一である。階段下部屋の天井高さを最大にするためには、スペーサー１０２の厚さを天井パネル２０１の上面と、階段部１００の側桁１０３ａ、１０３ｂの桁下面との垂直方向の間隔S3と同一とするのが望ましい。
【００２２】
なお、ここでいうセトリング量と略同一とは、実際のセトリング量が、ログ材の状態等により、予測していたセトリング量を一定程度上回る場合があり得ることを意味する。したがって、ここでいうセトリング量は予想されるセトリング量より、ある程度の余裕を見た値とすることが好ましい。ただし、この場合においても、桁階段の桁下面と階段下部屋の天井との垂直方向の間隔は、実際のセトリング量を上回るものでなければならない。
【００２３】
踏板１０１ｉ〜１０１ｍは、上方へ向けて互いの前端を後方へ順次ずらして、側桁１０１ａ、１０１ｂ間に所定の上下間隔で略平行に設けられる。
【００２４】
このように、上部階段部１００Ａのすべての構造物は、上階Ｘに固定されているため、セトリングにより、上部階段部１００Ａは、上階Ｘと共に下降する。
【００２５】
下部階段部１００Ｂは、側桁１０４ａ、１０４ｂ（不図示）と、側桁間に上下方向に所定の間隔で配置される踏板１０１ａ〜１０１ｄと、上下方向に所定の間隔で配置され、階段を昇降する方向を180°変えるために、45°ごとに分割された略三角形状の踏板１０１ｅ〜１０１ｈを含む。なお、図の踏板の段数はあくまでも一例であり、階段が設置される建物の上階までの高さ（階高）等により適宜変更される。
【００２６】
側桁１０４ａ、１０４ｂは、下階Ｙの床Ｂに対して斜め上方向に踏板１０１の幅に対応した横方向間隔で平行に配置される。側桁１０４ａ、１０４ｂの上部は、踏板１０１ｅを支持する指示部材１０６に固定される。踏板１０１ｅは、下階床Ｂに立設した支持部材１０６により、所定の高さに固定される。踏板１０１ｈは、下階床Ｂに立設した支持部材１０７により、所定の高さに固定される。踏板１０１ｆ、１０１ｇも同様にして、下階Ｙの床Ｂから各々所定の高さに固定される。
【００２７】
このように、下部階段部１００Ｂのすべての構造物は、下階Ｙの床に固定されているため、セトリングによって、下部階段部１００Ｂ全体の高さは変化しない。なお、下部階段部１００Ｂの構造物は、階段の設置位置により、ログ壁１０８に接して設置される場合があるが、ログ壁には固定しないため、セトリングによって、下部階段部１００Ｂ全体の高さは変化しない。
【００２８】
本実施形態の階段下部屋２００は、下階天井に達する間仕切り壁１０８と隙間なく接し、前面パネル２０３、側面パネル２０２、天井パネル２０１、及び、背面パネル２０４とを含み、側面パネル２０２の反対側にはパネルがなく下階天井に達する間仕切り壁１０８の反対側の空間と連通している。下階天井に達する間仕切り壁１０８は、階段下部屋２００と隙間なく接する部分において開口（図４のJ部）が設けられている。側面パネル２０２は側桁１０３ａの直下にあり、側桁１０３ｂの直下にはない。
【００２９】
即ち、階段下部屋２００の内部の下階天井に達する間仕切り壁１０８の方向には側面パネル２０２はなく、下階天井に達する間仕切り壁１０８と隙間なく接する部分は開口Jになっていて、階段下空間２００と下階天井に達する間仕切り壁１０８の反対側の空間とは連通している。前面パネル２０３、側面パネル２０２、天井パネル２０１、及び、背面パネル２０４は、枠材に羽目板を張り詰めて構築されたものであるが、羽目板に変わり石膏ボード等の面材を張り合わせて構築しても良く、ランバーコア等の面材のみ単体で用いても良い。これらパネルと下階天井に達する間仕切り壁１０８とで包囲された空間が階段下部屋２００となる。
【００３０】
なお、出入り用のための開口は、他の位置に設けられてもよく、部屋の用途により、前面パネル２０３、及び、背面パネル２０４については、適宜、省略されてもよく、開口に建具枠及び建具が設けられてもよい。
【００３１】
なお、実施形態の階段下部屋２００は、主に、上部階段部１００Ａの下の空間Ｆを利用することを想定しているが、背面パネル２０４を移動、若しくは、削除するなどして、下部階段部１００Ｂの空間Ｇと接続して利用するようにしてもよい。
【００３２】
実施形態の天井パネル２０１の上面の斜面は、階段部１００の側桁１０３ａ、１０３ｂの桁下の傾斜面と平行であり、側桁１０３ａの直下にある側面パネル２０２の上面と接続している。即ち、天井パネル２０１の上面と側面パネル２０２の上面とは一致しており、それらの上面は、階段部１００の側桁１０３ａ、１０３ｂの桁下面との垂直方向の間隔S3は、セトリング量と同等以上であればよく、階段下部屋天井高さを最大化するためにさらに望ましくは、セトリング量と略同一であればよい。図５に示すように、階段部１００の側桁１０３ａの桁下面との間隔をS2とし、階段の勾配の角度をα°とした場合には、垂直方向の間隔S3は、S2/cosα°となる。このS3が、セトリング量と略同一であればよい。
【００３３】
セトリングにより、セトリングスペースＥの間隔Ｓ1が狭まった時には、上部階段部１００Ａと下部階段部１００Ｂとの間に存在する階高調整用のスペーサー１０２を引き抜き、上部階段部１００Ａと下部階段部１００Ｂとの間隔を調整することとなる。
【００３４】
このとき、上部階段部１００Ａの側桁１０３ａ、１０３ｂの桁下面と、階段下部屋２００の天井パネル２０１の上面もセトリング量分、接近することとなる。ここで、天井パネル２０１と階段部１００の側桁１０３ａ、１０３ｂの桁下面との垂直方向の間隔Ｓ3は、セトリング量と略同一であるため、この調整によっても、天井パネル２０１の上面と階段部１００の側桁１０３ａ、１０３ｂの桁下面とが干渉することはなく、天井パネル２０１の高さを調整する必要がない。換言すれば、天井パネル２０１は側桁１０３ａ、１０３ｂの桁下面にではなく、前面パネル２０３の上面に取り付けられているので、従来の階段構造のように、前面パネル２０３上部に天井パネル２０１の位置のセトリングによる低下を考慮した機構（図６のＢ等）を設ける必要がない。これにより、施工の簡略化が可能となる。
【００３５】
側面パネル２０２は側桁１０３ａの直下にあるので、上部階段部１０１Ａの幅は、下階天井に達する間仕切り壁１０８の仕上げ面から側面パネル２０２の階段下部屋の反対側の面まで確保することができる。換言すれば、従来の階段構造とは異なり、上部階段部１０１Ａを側面パネル２０２と天井に達する間仕切り壁１０８との間に挟まれた空間に設置する必要がないので、上部階段部１０１Ａの幅は、従来の階段構造のようなささら桁階段とはしないで、本発明の実施形態のように側桁階段としても、上部階段部１０１Ａの踏板１０１ｉ〜１０１ｍの幅を十分に幅広く確保することができ、設置作業も容易にすることができる。なお、階段を側桁階段ではなく、ささら桁階段とすれば、踏み板の幅を更に幅広く確保できることは言うまでもない。
【００３６】
実施形態では、天井パネル２０１の上面の斜面は、階段部１００の側桁１０３ａ、１０３ｂの桁下の傾斜面と平行である。天井パネル２０１の上面の斜面を、階段部１００の側桁１０３ａ、１０３ｂの桁下の傾斜面と平行とすることにより、階段下部屋２００の大きさを最大とすることができる。
【００３７】
以上、実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３８】
１：階段構造
１００：階段部
１０１：踏板
１０２：スペーサー
１０３：側桁
２００：階段下部屋
２０１：天井パネル
２０２：側面パネル
２０３：前面パネル
２０４：背面パネル
【図１】
2020133224.tif 000003
【図２】
2020133224.tif 000004
【図３】
2020133224.tif 000005
【図４】
2020133224.tif 000006
【図５】
2020133224.tif 000007
【図６】
2020133224.tif 000008
【図７】
2020133224.tif 000009
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
上階と下階を有する丸太組み構法の建築物に設置され、上部が前記上階に固着された桁階段と、
前記桁階段の桁下方で、前記下階に設置され、天井部を有する階段下部屋と、を有し、
前記桁階段の桁下面と前記階段下部屋の天井部との垂直方向の間隔は、前記丸太組み構法の建築物のセトリング量と略同一であり、
前記階段下部屋は、上部が前記天井部と接続した少なくとも１つの側面パネルを有し、当該側面パネルは、前記桁階段の側桁の直下に配置された、階段構造。
【請求項２】
前記階段下部屋は、上部が前記天井部と接続した前面パネルを有する、請求項１に記載の階段構造。
【請求項３】
前記桁階段下に階高調整用のスペーサーを有し、前記桁階段の桁下面と階段下部屋の天井との垂直方向の間隔は、前記スペーサーの厚さと略同一である、請求項１または２に記載の階段構造。
【請求項４】
前記桁階段は、回り階段、直階段、折返し階段、又は、かね折れ階段である、請求項１から３のいずれかに記載の階段構造。
【請求項５】
前記桁階段の桁下の傾斜と前記階段下部屋の天井の斜面とは平行である、請求項１から４のいずれかに記載の階段構造。
【手続補正２】
【補正対象書類名】明細書
【補正対象項目名】００１２
【補正方法】変更
【補正の内容】
【００１２】
本発明の階段構造は、上階と下階を有する丸太組み構法の建築物に設置され、上部が上階に固定された桁階段（側桁階段若しくはささら桁階段等の桁構造を有する階段のことをいう。以下同じ。）と、桁階段の桁の下方で、下階に設置され、天井部を有する階段下部屋と、を有し、桁階段の桁下面と階段下部屋の天井部との垂直方向の間隔は、丸太組み構法の建築物のセトリング量と略同一であり、階段下部屋は、上部が天井部と接続した少なくとも１つの側面パネルを有し、当該側面パネルは、桁階段の側桁の直下に配置される。